(57)【要約】  本発明は、資料および他の同様アイテムのディスプレイ、運搬、および保護に関する。ある形態では、本発明は、相互に係止係合状態にある、開放および閉鎖のために適合される、少なくとも２つの本体部分を備える、剛性本体と、本体と異なる材料を備え、本体内に形成され、そこから延在する、取っ手部分と、同様に、本体と異なる材料を備え、本体内に形成され、そこから延在する、基部とを備え、組み合わせて、取っ手部分および基部は、本体と表面との接触を伴わずに、ケースをある表面上に自立させるために適合される、Ａ２またはＡ３サイズの資料のディスプレイ、運搬、および保護のための展示入れ物として有用である。
2014515279.tif 000002
【特許請求の範囲】
【請求項１】
展示材料を運搬、保管、およびディスプレイするために適合される、展示ケースであって、
相互に係止係合状態にある、開放および閉鎖のために適合される、少なくとも２つの本体部分を備える、剛性本体と、
前記本体と異なる材料を備え、前記本体内に形成され、そこから延在する、取っ手部分と、
同様に、前記本体と異なる材料を備え、前記本体内に形成され、そこから延在する、基部と、
を備え、組み合わせて、前記取っ手部分および基部は、前記本体と表面との接触を伴わずに、前記ケースをある表面上に自立させるために適合される、展示ケース。
【請求項２】
前記ケース内側に位置する展示材料がディスプレイされるように、相互に対して、前記少なくとも２つの本体部分を開放するために適合される、前記基部に隣接するヒンジ機構をさらに備え、前記ヒンジは、開放位置において、前記本体部分を保定するために十分な剛性を有する、請求項１に記載の展示ケース。
【請求項３】
前記基部は、縦置き位置および／または横置き位置において、前記ケースを支持するために適合される足場を備える、請求項１または２に記載の展示ケース。
【請求項４】
前記ケースの湾曲端部分に跨嵌し、前記ケースの要素をともに保持するように適合される、支持押出成形部をさらに備える、請求項１から３のいずれか一項に記載の展示ケース。
【請求項５】
前記本体部分のうちの少なくとも一方は、前記ケースを取り外し可能に開放するための前記他方の本体部分上の開口に係合するスタッドを起動させる、前記ケースの取っ手部分を通して位置する、指によって作動されるラッチを含む、開放機構を備える、請求項１から４のいずれか一項に記載の展示ケース。
【請求項６】
前記開放機構は、前記支持押出成形部の一部を形成する、請求項５に記載の展示ケース。
【請求項７】
請求項１から６のいずれか一項に記載されるような展示ケースの使用を含む、展示材料をディスプレイする方法。
【請求項８】
前記展示材料は、
資料、
芸術品、
計画、
デザイン図面、
のうちの１つまたはそれらの組み合わせを含む、請求項７に記載される方法。
【請求項９】
本明細書に開示されるような方法。
【請求項１０】
本明細書に開示されるような装置および／またはデバイス。
【発明の詳細な説明】
【技術分野】
【０００１】
本願は、ＦＯＧＩ  Ｐｔｙ  Ｌｔｄの名の下で２０１１年５月２４日に出願された豪州仮特許出願第２０１１９０２００４号「Ｍｅｔｈｏｄ  ａｎｄ  Ａｐｐａｒａｔｕｓ  ｆｏｒ  Ｓｔｏｒｉｎｇ  ａｎｄ  Ｄｉｓｐｌａｙｉｎｇ  Ｗｅｂｂｅｄ  Ｓｈｅｅｔ  Ｍａｔｅｒｉａｌ  ｉｎｃｌｕｄｉｎｇ  Ｄｏｃｕｍｅｎｔｓ  ａｎｄ  Ｇｒａｐｈｉｃ  Ｐｒｉｎｔｓ」の優先権を主張するものであって、その明細書は、参照することによって、全体として、かつあらゆる目的のために、本明細書に組み込まれる。
【０００２】
本発明は、資料および他の同様のアイテムのディスプレイ、運搬、および保護の分野に関する。ある形態では、本発明は、デザイナ、建築家、および／または販売員による使用に好適なポートフォーリオケースに関する。以下、便宜上、Ａ２またはＡ３サイズの資料のディスプレイ、運搬、および保護のための発表入れ物としてのその使用に関連して、本発明を説明する。しかしながら、本発明は、そのような使用にのみ限定されないことを理解されたい。
【背景技術】
【０００３】
本明細書全体を通して、単数形における単語「発明者」の使用は、本発明の１人（単数形）の発明者または２人以上（複数形）の発明者を参照すると見なされ得る。
【０００４】
本明細書における資料、デバイス、行為、または知識のいかなる議論も、本発明の文脈を説明するために含まれると理解されたい。さらに、本明細書全体を通した議論は、発明者の認識および／または発明者によるある関連技術問題の識別によって生じる。さらに、本明細書における資料、デバイス、行為、または知識等の材料のいかなる議論も、発明者の知識および経験の観点から、本発明の文脈において説明するために含まれ、故に、いかなるそのような議論も、材料のいずれかが、本開示および本明細書の請求項の優先日以前における、豪州またはいずれかの場所における関連技術の先行技術の基礎または共通の一般的知識の一部を形成することの承諾として見なされるべきではない。
【０００５】
ファッション、インテリア、およびグラフィックデザイナ、写真家、芸術家、建築家、エンジニア、および販売員等、創造産業における人々のための展示およびディスプレイケースの必要性が存在する。現在まで、スタイリッシュであるが、機能的展示ケースが、十分にこれらの市場に提供されているとは考えられない。例えば、既存の展示およびディスプレイケースは、バッグ製造業者またはディスプレイケース製造業者によって加工され得、必ずしも、機能的ニーズを満たしつつ、同時に、全参加者にとって、展示イベントを魅力的にするような適切な外観を提供する専門的製品に対するデザイナの配慮に留意していない。
【０００６】
バッグに関して、大型のものから小型のものまで存在するが、それらは、機能が制限されており、多くの場合、耐久性がない。さらに、多くの場合、全体的に見ると、審美的に魅力的ではない。現在までの専門的かつ審美的に適切な方法で提示する、ディスプレイケースを提供するために好適な技術は、そのような製品の大部分の消費者のわずかのみが、非常に高価な製品を選ぶにとどめるほど高価になると考えられ、多くの場合、制限された用途を有し、基本的に、展示材料のための携行用バッグとして、機能する。
【０００７】
豪州市場およびインターネットを介した国際的調査では、展示ケースは、存在するが、Ａ２の標準的資料サイズ以上のものは非常に少ないことを明らかにしている。加えて、Ａ２およびＡ３サイズとして存在するものは、例えば、耐久性、機能性、特に、「見た目」よりも即時使用の実践性を対象にしている。
【０００８】
また、低コストアートケースまたは高価なブリーフケース型ラップトップホルダバッグもあるが、主に、ソフトカバー搬送具である。ブリーフケース市場の高級品でさえ、展示材料の運搬、保護、およびディスプレイのための限定された保護および機能性をもたらすと考えられる。
【０００９】
スタイリッシュ、機能的、かつ耐久性がある、容易に利用可能な適切なサイズの展示ケースの欠如によって、一部の企業およびデザイン会社は、高い費用をかけて、一品だけのカスタムメイド品を作ることを余儀なくされる。
【００１０】
特に、関連技術製品を参照すると、ディスプレイおよび携行用ケースならびに展示および作業空間のためのケースに対する改良が、公知である。例えば、米国特許第ＵＳ４，２６７，９０５号（Ｓｔｅｗａｒｔ）は、携帯式ディスプレイラックおよびサンプル携行用ケースを開示しており、米国特許第ＵＳ６，８１１，００６号（Ｍｕｎｄｌｅ）は、切替式ブリーフケース／テーブルを開示している。Ｓｔｅｗａｒｔのディスプレイラックおよびサンプル携行用ケースは、携行用ケースに取り外し可能に取り付けられ、そこから垂直上向きに延在する、一対の離間した伸縮自在チューブを備える、ラックを含む。一端内に形成された管係合開口を含む、複数の伸長平面棚支持部が、管の長さに沿って、摺動可能に分散される。複数の棚は、支持部間に延在する。ディスプレイラックは、分解され、ディスプレイケースのカバー内に格納され、その端部において、カバーの内側表面に締結された一対の弾性ストラップによって、その中に保定され得る。本デバイスは、資料材料の保護およびディスプレイに適しておらず、その旧式のケースデザインとともに、ボックスの見た目を維持する。さらに、米国特許第ＵＳ４，２６７，９０５号は、航海用の旧式トランクの様式で加工され、衣類および履物を表示するように構築されている。これは、大型かつ煩わしく、審美的デザインが欠けており、かつ紙およびカードを保護するために十分に強固ではないと考えられる。したがって、デザイナ、写真家、広告者、建築家、またはエンジニアによって、その作品を保管、運搬、および提示するために使用される、Ａ２および規格外のＡ３の紙またはカード製品の保管および運搬には好適ではない。
【００１１】
Ｍｕｎｄｌｅのデバイスは、ブリーフケースを携行するユーザに、便利な作業台を提供するための切替式ブリーフケース／テーブルであるが、いずれも容易に利用可能ではないであろう。切替式ブリーフケース／テーブルは、基部部材を有し、また、基部部材に蝶着されたカバー部材を有する、ケースアセンブリを含む。また、ケースアセンブリに蝶着されたテーブル台を含む。さらに、テーブル台に取り付けられたブラケットを含み、また、ブラケットに蝶着された支持脚を含む、テーブル台支持アセンブリを含む。また、テーブル台をカバー部材に締結するための締結アセンブリを含む。さらに、ある表面上にケースアセンブリを立たせるためのケースアセンブリに取り付けられたケース支持アセンブリを含む。本デバイス内に含まれる機構は、展示材料のスタイリッシュなディスプレイとしては、見苦しく、本質的に、作業表面としてより好適なものにする。
【００１２】
Ｍｕｎｄｌｅのデバイスは、テーブルを形成するように取り付けることができる、脚部が付いた蝶着された蓋を伴うボックスと考えられる。潜在的に、Ａ２および規格外のＡ３の紙およびカードを格納し得る。しかしながら、蝶着された蓋は、その移動範囲が制限され、ディスプレイのための紙図面／計画を真っすぐ立たせることが不可能であると考えられる。ボックスは、頑丈に見えるが、しかしながら、デザイン性が欠けており、携行が煩わしいと考えられる。
【００１３】
独国特許公開第ＤＥ１０２０６５３３号（Ｇｒｕｂｅｒ）では、ブリーフケースのためのヒンジおよび係止アセンブリが、開示される。ブリーフケースは、３つの剛性曲面板から作製される。ブリーフケースの蓋は、長方形平坦上部部品および直線側壁を有する。側壁の一方の縁上の第１のヒンジは、蓋をブリーフケースの底部部分に接続する。ヒンジと反対の壁には、取っ手がある。ブリーフケースの底部部分は、底部の中央に第２のヒンジを伴って、２つの等しい部分に分割される。連結部は、蓋に蝶着される、第１の底部部分の側壁に蝶着される。連結部の遊離端上のプラグは、蓋の側面または第２の底部部分の側面の孔内に係合することができる。このように、ブリーフケースは、ディスプレイスタンドまたはケースを形成するように再度組み立てられ得るが、高品質の資料または他の展示材料のために、スタイリッシュかつ洗練された方法において、好適なディスプレイ手段を提供しない。さらに、構造の複雑性は、Ｇｒｕｂｅｒのケースを資料または２−Ｄ材料にとって不格好なものにする。Ｇｒｕｂｅｒの発明は、Ａ２または規格外のＡ３の紙またはカードに好適ではない。小型のジュエリーボックスのサイズであって、腕時計および約そのサイズの他のアイテムをディスプレイするために好適であると考えられる。Ｇｒｕｂｅｒのデバイスは、ディスプレイのために、大型の紙および資料を真っすぐにもたせかけることができない。Ｇｒｕｂｅｒのケースは、機能的かつ頑丈であると考えられるが、しかしながら、大型のＡ２およびＡ３の紙にとって機能的ではなく、審美的に魅力的デザインを有していない。魅力がなく、「驚くような」デザイン要素が欠けている。
【００１４】
独国実用新案公開第ＤＥ２０３１９１４６号は、フォルダまたはブリーフケースのための係止システムを開示している。フォルダまたはブリーフケースのための係止システムは、一区画に搭載され、別の並列区画上の筐体上へ自動的に係止する、バネ荷重された係止爪を有する。爪は、携行用取っ手の近傍に嵌合され、取っ手を握ったまま、爪が、指の圧力によって解放されることを可能にする、すなわち、片手動作を可能にする。本書は、フォルダまたはブリーフケースのためのより便利な係止を開示し得るが、スタイリッシュかつ機能的展示ケースを提供するための任意の手段を教示していない。
【００１５】
ブリーフケースアタッチメントは、独国特許第ＧＢ２，２９２，３０８号（Ｗａｒｎｅｒ）に開示されている。Ｗａｒｎｅｒは、ブリーフケースの爪と、フリップチャートを形成する紙のシートを支持するための手段、例えば、クランプまたはリングとの相互接続のための帯板の形態である、ブリーフケース等の蝶着された蓋付き携帯用容器のためのアタッチメントを教示している。相互接続は、帯板の長さに沿って調節可能であり得、フリップチャートを使用時、支柱が、ブリーフケースを開放したまま保持するために提供され得る。本システムは、前述のように、その独自の欠点を有する、既存のブリーフケースまたは容器に対する付属品としてのみの役割を果たし、さらに、Ｗａｒｎｅｒのシステムは、展示材料のための保護を提供せず、さらに、ディスプレイのための材料を懸架するためのリングまたはクランプに依拠しており、種々の使用に実践的であると見なされない。Ｗａｒｎｅｒのデバイスは、リングバインダフリップチャートをブリーフケースに取り付け、次いで、それを取り外して、ケースを閉鎖する必要があるため、非常に魅力がない。故に、本デザインは、フリップチャートにのみ好適である。
【００１６】
独国特許第ＤＥ１９８１８７６４号は、２つの特異的形状の金属断面を用いて閉鎖され、断面とその側壁との間に位置付けられる囲繞境界を有する、スーツケースを開示している。スーツケースのコーナーは、別個の要素として作製され、側壁および囲繞境界にのみ固定され、スーツケースに安定性を与える。スーツケースの全体的形状は、若干、丸くされている。独国特許第ＤＥ１９８１８７６４号のスーツケースおよび独国特許第ＤＥ１９８１８７６４号の出願人によって製造された他のケースは、主に、押出成形された側面と、次いで、側面と嵌合される、コーナー形状として製造される。
【００１７】
独国特許第ＤＥ２９９０４６７５号は、ＰＣケースを開示しており、その図面から、ケースの外側曲面板への追加構成要素として配置される、当接特徴「５６」を開示していると考えられる。したがって、これらは、使用時、外れがちになり得る。
【００１８】
米国特許第ＵＳ４，４７５，６５０号は、製図技師のためのケースを開示しており、製図技師または学生が、材料を種々の場所へ携行することを可能にする。材料を封入し、また、種々の位置で係止する、蓋支持機構を含有する、ケースが提供される。ケースの１つの外部表面は、描画面であって、蓋支持機構は、使用時、水平に対して、所望の角度で保定されることを可能にする。
【先行技術文献】
【特許文献】
【００１９】
【特許文献１】米国特許第６，８１１，００６号明細書
【特許文献２】米国特許第４，２６７，９０５号
【特許文献３】独国特許公開第１０２０６５３３号
【特許文献４】独国実用新案公開第２０３１９１４６号
【特許文献５】独国特許第２，２９２，３０８号
【特許文献６】独国特許第１９８１８７６４号
【特許文献７】独国特許第２９９０４６７５号
【特許文献８】米国特許第４，４７５，６５０号
【発明の概要】
【発明が解決しようとする課題】
【００２０】
本明細書に説明される実施形態の目的は、関連技術システムの前述の短所のうちの少なくとも１つを克服または緩和すること、あるいは少なくとも関連技術システムの有用代替を提供することである。
【課題を解決するための手段】
【００２１】
本明細書に説明される実施形態によると、展示材料を運搬、保管、およびディスプレイするために適合される、展示ケースであって、
相互に係止係合状態にある、開放および閉鎖のために適合される、少なくとも２つの本体部分を備える、剛性本体と、
本体と異なる材料を備え、本体内に形成され、そこから延在する、取っ手部分と、
同様に、本体と異なる材料を備え、本体内に形成され、そこから延在する、基部と、
を備え、組み合わせて、取っ手部分および基部は、本体と表面との接触を伴わずに、ケースをある表面上に自立させるために適合される、展示ケースが、提供される。
【００２２】
展示ケースはさらに、ケース内側に位置する展示材料がディスプレイされるように、相互に対して、少なくとも２つの本体部分を開放するために適合される、基部に隣接するヒンジ機構をさらに備えてもよく、ヒンジは、開放位置において、本体部分を保定するために十分な剛性を有する。
【００２３】
好ましくは、基部は、縦置き位置および／または横置き位置において、ケースを支持するために適合される足場を備える。
【００２４】
好ましい実施形態では、展示ケースはさらに、ケースの湾曲端部分に跨嵌し、ケースの要素をともに保持するように適合される、支持押出成形部を備える。
【００２５】
本体部分のうちの少なくとも一方は、ケースを取り外し可能に開放するための他方の本体部分上の開口に係合するスタッドを起動させる、ケースの取っ手部分を通して位置する、指によって作動されるラッチを含む、開放機構を備えてもよい。開放機構は、支持押出成形部の一部を形成してもよい。
【００２６】
有利には、展示ケースは、約１０５度傾斜されることができ、カードを支え、ディスプレイすることを可能にする、突起支持部を有する、剛性蓋を備える。
【００２７】
記載のように、それによって、ケースが静置され得る、取っ手および／または基部部分のいずれかは、ケースの本体と、それが静置されている表面の両方を保護し、さらに、基部ヒンジ部分は、ケースのための「脚部」として作用し、ケースを立てることを可能にする。
【００２８】
他の実施形態では、本明細書に開示されるような展示ケースの使用を含む、展示材料をディスプレイする方法が、提供される。ディスプレイの好ましい方法では、展示材料は、
資料、
芸術品、
計画、
デザイン図面、
のうちの１つまたはそれらの組み合わせを含む。
【００２９】
他の態様および好ましい形態は、明細書に開示され、および／または本発明の説明の一部を形成する、添付の請求項に定義される。
【発明の効果】
【００３０】
本質的に、本発明の実施形態は、機能的であって、その中の作品に適正な保護を提供し、審美的に魅力的な外観を有し、見た目が良いことによって、ユーザに自信を与える、書類ケースが市場に存在しないという認識に由来する。発明者の視点から、入れ物の所有者に関する発表を行い、かつディスプレイおよび一般的展示用の材料を提示するための実践的媒体である、何らかのものが必要であった。すなわち、好ましい実施形態の根底にある重要な属性は、設定し、その作品を提示することができる、その速度および簡潔性である。本観点では、プラスチック製の取っ手は、入れ物を立たせることができる脚部としての役割を果たす、入れ物の基部のヒンジと組み合わせて、好ましくは、約３ｍｍの十分な隙間を空けて、入れ物の本体を表面から持ち上げるため、提示者が、入れ物またはそれが置かれる表面のいずれも損傷することなく、入れ物をある表面に設置することを可能にする。入れ物は、次いで、単一作用爪を持ち上げ、入れ物の蓋部分を持ち上げることによって、片手で容易に開放することができる。蓋は、展示のための適切な角度に傾斜されるように設計され、一実施形態では、これは、約１１０度であって、提示者が、２つの小型の押出成形されたプラットフォーム上に静置する蓋内に展示カードまたは紙を設置することを可能にする。このような設計方法は、迅速かつ効率的スムーズな操作を可能にし、提示者が、設定の間、観客と談話したり、やりとりを行ったりすることを可能にする。
【００３１】
荷物鞄製造業者とは対照的に、デザイナの観点から、展示ケースの概念にアプローチすることによって、発明者の意見では、本発明の実施形態に対して、独特な見た目および機能を作り出している。
【００３２】
好ましい実施形態では、関連技術に関して識別された問題は、「クリップ留めおよびネジ構造」とともに、一体化されたヒンジ、取っ手、および閉鎖機構を特徴とし、ケースが、開放位置において安定する、２つの部品から成る陽極酸化アルミニウムケースの提供によって解決されている。先行技術デバイスに勝る、もたらされ得る利点として、以下が挙げられる。通常のプラスチック「フリップブック」式製品によってもたらされる保護と比較して、中身の保護のレベルが改善された。「クリップ留めおよびネジ構造」は、高コストの金属成形ツールを回避し、製造の際の曲面板のコーナーの溶接および研磨のコストを回避し得る。本実施形態のユーザは、ケース内の中身を提示する間、持続的に開放位置に保持することを要求されず、したがって、展示の間、ユーザおよび観客の両方の気を散らせることを減少させる。本実施形態は、スタイリッシュな専門性のイメージを付与し、ある好ましい態様では、これは、アルミニウム等の単一シートの金属の使用を通して、入れ物の本体に湾曲端を提供することによって達成される。これは、通常のプラスチック製の「フリップブック」式製品によって伝えられる低専門性イメージとは対照的である。
【００３３】
さらなる実施例として、重いケース（資料ディスプレイケースまたは別のタイプのケースのいずれか）の携行のため、ユーザの手／腕の疲労の問題は、陥凹付きの格納式ショルダーストラップ機構を提供することによって解決されている。発明者の観点から、先行技術方法に勝る、もたらされ得る利点として、以下が挙げられる。ケース内の内部陥凹にストラップを格納する本機構の能力は、ストラップが使用されていない時、ストラップが、全体的外部外観またはケースの取扱を妨害しないことを意味する。
【００３４】
本発明によって提供されるさらなる利点として、以下が挙げられる。
‐  好ましい実施形態の入れ物は、ユーザが、入れ物を開放し、ディスプレイのために、蓋内にＡ２または規格外のＡ３のカードまたは紙を静置するという点において、単純かつ機能的デザインを有する。
‐  作品をクライアントに提示するとき、机の上および入れ物上のアルミニウムを保護しながら、役員室または会議室のテーブル上に設置されることが意図されるため、好ましい実施形態の入れ物上に脚部が存在せず、脚部のための要件も存在しない。
‐  入れ物の中身を保護するための頑丈な構造。
‐  開放された蓋内に紙またはカードを静置することによって、作品をディスプレイするための入れ物を使用する能力。
‐  デザイン作品に注意を引き付け、ユーザの専門的かつ好印象を与える。
‐  開放するために置かれるテーブルの表面を保護する、独特なヒンジおよび取っ手デザイン。
‐  入れ物のための「脚部」として作用し、入れ物を立たせることを可能にする、独特なヒンジデザイン。
‐  象徴的見た目。
‐  使用されないときは、遮蔽される格納式ストラップ。
【００３５】
本発明の実施形態の可用性のさらなる範囲は、以下に与えられる発明を実施するための形態から明白となるであろう。しかしながら、発明を実施するための形態および具体的実施例は、本発明の好ましい実施形態を示すが、本明細書の開示の精神および範囲内の種々の変更および修正が、本発明を実施するための形態から当業者に明白となるであろうため、所与の例証としてのみ与えられることを理解されたい。
【図面の簡単な説明】
【００３６】
本願の好ましいおよび他の実施形態のさらなる開示、目的、利点、および態様は、例証としてのみ与えられ、したがって、本明細書の開示の限定ではない、付随の図面と関連して検討される実施形態の以下の説明を参照することによって、当業者によってより理解され得る。
【００３７】
【図１】本発明のある実施形態による、例示的展示ケースの斜視図を図示する。
【図２】本発明のある実施形態による、例示的展示ケースの正面図を図示する。
【図３】本発明のある実施形態による、例示的展示ケースの上面図を図示する。
【図４】本発明のある実施形態による、例示的展示ケースの底面図を図示する。
【図５】本発明のある実施形態による、例示的展示ケースの側面端面図を図示する。
【図６】本発明のある実施形態による、例示的展示ケースの背面図を図示する。
【図７】本発明のある実施形態による、例示的開放位置における例示的展示ケースの斜視正面図を図示する。
【図８】本発明のある実施形態による、例示的開放位置における例示的展示ケースの斜視背面図を図示する。
【図９】本発明のある実施形態による、Ａ３サイズの資料のための例示的展示ケースの斜視正面図を示す。
【図１０】図９のケースの斜視側面図を示す。
【図１１】本発明のある実施形態による、Ａ２サイズの資料のための例示的展示ケースの斜視正面図を示す。
【図１２】図１１のケースの斜視側面図を示す。
【図１３】本発明の例示的実施形態の分解図である。
【図１４】Ａ４サイズの資料に好適な本発明の実施形態の正面図である。
【図１５】Ａ４サイズの資料に好適な本発明の実施形態の上面図である。
【図１６】Ａ４サイズの資料に好適な本発明の実施形態の上部斜視図である。
【図１７】Ａ４サイズの資料に好適な本発明の実施形態の底部端面図である。
【図１８】Ａ４サイズの資料に好適な本発明の実施形態の正面斜視図である。
【図１９】開放位置における、Ａ４サイズの資料に好適な本発明の実施形態の斜視図である。
【図２０】Ａ４サイズの資料に好適な本発明の実施形態の側面端面図である。
【図２１】保護カバーが、Ａ３資料に好適な入れ物のために含まれる、本発明のさらなる実施形態の正面図である。
【図２２】保護カバーが、Ａ３資料に好適な入れ物のために含まれる、本発明のさらなる実施形態の底部斜視図である。
【図２３】保護カバーが、Ａ３資料に好適な入れ物のために含まれる、本発明のさらなる実施形態の底部斜視図である。
【図２４】保護カバーが、Ａ３資料に好適な入れ物のために含まれる、本発明のさらなる実施形態の側面端面図である。
【図２５】保護カバーが、Ａ４資料に好適な入れ物のために含まれる、本発明のさらなる実施形態の正面図である。
【図２６】保護カバーが、Ａ４資料に好適な入れ物のために含まれる、本発明のさらなる実施形態の底部斜視図である。
【図２７】保護カバーが、Ａ４資料に好適な入れ物のために含まれる、本発明のさらなる実施形態の底部斜視図である。
【図２８】保護カバーが、Ａ４資料に好適な入れ物のために含まれる、本発明のさらなる実施形態の側面端面図である。
【図２９】本発明のさらなる実施形態による、携行補助手段を示す、入れ物の斜視図である。
【図３０】本発明のさらなる実施形態による、携行補助手段を示す、入れ物の斜視図である。
【図３１】は、本発明の別の実施形態による、代替爪機構を図示する。
【発明を実施するための形態】
【００３８】
図１から１２を参照すると、好ましい実施形態では、本発明は、異なるニーズに好適な適合可能内側裏材８を伴う、アルミニウムから構築される本体６とともに、プラスチック製の取っ手７および基部３部分を有する、軽量であるが、頑丈かつ機能的展示ケースを提供する。図１から６および９から１２は、その閉鎖位置における展示ケース１０を示し、本体６の蓋部分１０ａは、本体６の反対部分１０ｂと、係止され、平行配向にぴったりと嵌合する。図７および８は、その開放位置における展示ケース１０を示し、反対部分１０ｂは、机の上等の表面１１に平坦に置かれる。
【００３９】
図１は、斜視図として、例示的展示ケース１０を示す。展示ケース１０は、以下により詳細に論じられる、基部３から延在する、足場２によって、閉鎖されると、その底部端１上に立つことが可能である。好ましくは、足場２は、示されるように、基部３と一体的に形成されるが、別個の足場２が、基部３への接続のために構築されてもよい。
【００４０】
図７および８により詳細に示される開放機構４ａから４ｅは、ケースを鈍角、好ましくは、閉鎖位置から約１０５°まで開放可能にし、本体６の２つの半体、すなわち蓋部分１０ａおよび反対部分１０ｂは、相互に平行配向に係止係合されて畳まれる。本程度までの開放は、展示ケース１０が、ケース１０内に置かれた材料の垂直展示のために使用されることを可能にする。
【００４１】
展示ケース１０は、例えば、以下のような任意の数の形態の展示材料を収容するために適合される。
‐  法的または業務資料
‐  ２−Ｄ芸術品
‐  エンジニアリングおよび／またはデザイン図面
‐  建築計画および／または図面
‐  大判写真
‐  ディスプレイのための広告および／または宣伝材料
‐  販売サンプル
【００４２】
これらの目的のために、少なくとも２つ以上のサイズ、例えばＡ２および規格外のＡ３のケース１０が、提供されることが好ましい。Ａ２サイズのケース１０は、それぞれ、図１１および１２において、斜視正面および斜視側面図として示される。Ａ３サイズのケース１０は、それぞれ、図７、８、９、および１０では、斜視正面および斜視側面図として示される。
【００４３】
例えば、Ａ３サイズの材料を収容するために好適なより大きな形態では、展示ケース１０は、ラップトップ携行バッグまたは流行のブリーフケースとして使用されてもよい。本観点では、ショルダーストラップ（図２９および３０参照）が、本体６の上側部分または一体型取っ手部分７から等、好適な場所において、ケース１０の構造に組み込まれてもよい。ショルダーストラップは、格納式であってもよい。
【００４４】
展示ケース１０は、アルミニウム本体６にロゴまたはイニシャルをエンボス加工することによって、パーソナライズされてもよいことが想起される。例えば、企業は、複数のケース１０を利用し得る、または個人は、そのイニシャルをケース１０に有し得る。ケース１０の高級品市場向けバージョンに対して、これは、独自性を提供するであろう。
【００４５】
ケース開放機構４ａ〜４ｅは、ケース１０の本体６の蓋半体１０ａを若干開放し、指で蓋部分１０ａを把持し、それをユーザが選択した停止点まで持ち上げることを可能にするであろう、押しボタン式バネ解放システムを備える。ヒンジ機構４ａは、ケース１０の反対部分１０ｂに対して、ケース１０の蓋部分１０ａの上下移動において、ある程度の抵抗、張力、または剛性を提供し、ユーザが蓋１０ａからその手を離すと、さらなる移動を伴わずに、ユーザが、蓋１０ａをディスプレイまたは開放のために適切な位置に移動させることを可能にする。これは、ユーザによる移動のための押し上げまたは押し下げの必要性を促進するが、ユーザによって所望の位置に移動された後、蓋１０ａは、自然に倒れたり、畳まれたりしないであろう。
【００４６】
ケース１０は、開放機構４ａ〜４ｅの形態において、係止デバイスを有し得る。さらに、ケースが、開放機構４ａ〜４ｅを操作するための独特なキーを有することによって、不正開封が防止され得ることが想起される。不正開封防止係止手段は、「通常」キーのようなものではなく、ケースのためにカスタムメイドされるであろう、非常に単純なデバイスであることが想像される。
【００４７】
使用時、本体６は、ユーザによって、最初に目に留り、感じられるものとなるであろう。その全体的印象は、足場２の形態の創造的スタンドまたは「対の脚部」で支持された薄型品質の本体、精巧な取っ手７、その中にすばらしいものが入っているであろうという有望性となるであろう。耐久性のあるプラスチック組成物を含む、基部３および取っ手７は、見掛けは、同様の全体的デザイン特徴を有し、さらに、金属本体６の保護の機能を果たす。展示ケース１０の上部および底部部分から延在する、基部３および取っ手７によって、本体は、位置付けられる、いかなる表面とも接触することなく、したがって、ケースおよびそれが設置される表面の両方が保護されるであろう。
【００４８】
アルミニウム本体６に対する異なる表面処理の影響は、非常に異なる効果を提供し得る。本観点では、例えば、企業が、販売展示機会を作り出す、その独自の展示ケースを目立たせることができるように、基部３、取っ手７、および本体６に対して、異なる組み合わせの色および／またはテクスチャが、もたらされ得る。取っ手は、図１３に最も良く示されるように、２つの部品７ａおよび７ｂから作製される。取っ手部分７ａは、主要内側部品であって、７ｂは、挿入部（取っ手外側）であって、取っ手が本体に接続された状態では、不可視である、または見えないように隠され、７ｂは、別個の色で成形されることもある。
【００４９】
ケースの上部の湾曲部分１２には、上部に跨嵌し、ケース１０をともに保持する、図１３では、１４によって示される、折り畳んだ金属ブラケットが存在する。これはまた、取っ手７ａおよび７ｂ、開放機構のラッチ４ｄおよび４ｅも収容する。
【００５０】
ブラケット１４は、図１３の末端プラグ１５と併せて、アルミニウム本体１０ｂを捕捉し、アルミニウム１０ｂの外側層、次いで、プラスチック製側面成形物１６を通して、金属ブラケット１４内に突出する、末端プラグ１５によって固着される。末端プラグ１５は、全て、ケース１０に強度を追加する、全３つの要素１０ｂ、１６、および１４をともに定位置に固着するクリップである。その完成デザインでは、ケース１０をともに保持する機構は、見えず、開放機構は、遮蔽され、開放されたとき、ケース１０の外側ならびに内側の非常に「すっきりとした」見た目となる。
【００５１】
図１３におけるプラスチック製成形物１６および１７は、基部１０ｂおよび蓋１０ａの上部から底部に跨嵌し、ケースのコーナーおよび側面を形成する。基部側面１６は、次いで、背面に沿って延設され、４つの締結具、好ましくは、ネジによって、ヒンジ３内に固着される、基部プラスチック製成形物２０によって継合される。ネジは、次いで、カバー成形物２１によって隠される。蓋部分１０ａに対しても、基部部分１０ｂに対する場合と同じことが当てはまり、側面成形物１７が、１９内に係止し、次いで、ヒンジ３内に螺入され、ケース１０の強固なすっきりとした内側を形成する。成形された側面部品はまた、同様にケースの強度を追加するであろう工業用両面テープを用いて、側面アルミニウム壁にテープ留めされるであろう。
【００５２】
陽極酸化アルミニウム１３のカバープレートは、金属ブラケット１４を被覆し、２つの小型ネジを用いて、金属ブラケット１４に取り付けられる。本カバープレート１３にもまた、個人および一般情報が刻印されることが可能となるであろう。カバープレート１３はまた、すっきりとした内側縁を達成し、紙またはディスプレイ材料が、内側を動き回り、任意の突出部品またはケース機構を損傷しないように防止するのに有用である。
【００５３】
図１３におけるプラスチック製成形物１８は、蓋１０ａの辺縁に嵌合し、また、爪４ｄおよび４ｅを位置付けかつ受容し、また、完全に閉鎖されると、ケース蓋が畳まれるように維持する、カバー部品である。折り重ねられたバネ４ｃもまた、小型Ｕ形状において、１４から突出し、次いで、４ｄおよび４ｅ内に接続される。本バネは、爪が、バネから解放されると、ケース蓋を押動し、若干開放し、蓋が把持され、完全に開放されるように作用するように、蓋１０ａが閉鎖され、押圧される。
【００５４】
取っ手外側７ａおよび取っ手内側７ｂは、高品質の硬質ナイロン繊維ガラス混合物または同等の好適なポリマーから作製される。木材等の他の材料も使用され得るが、好ましいのは、ポリマーである。硬質ナイロン繊維ガラス混合物等のポリマーは、任意の色で加工されてもよい。製造と組み合わせられた成形は、取っ手７ａに、可能な限り、軽くテクスチャ加工され、かつ微細な状態をもたらすが、そのともに保持する感触は留保する。好ましくは、取っ手は、薄型を維持するために、図に示されるように、ケース１０の本体６に切り込まれ、したがって、折り返されたり、または軌道から外れて旋回したりせず、ケース１０に対して、堅い支持構造のままである。
【００５５】
同様に、基部ヒンジ３は、ケース１０に対して、支持および保護構造を提供する。基部は、取っ手部分７同様に、蓋部分１０ａおよび反対部分１０ｂの継合部に跨嵌し、それを支持し、ケース１０をともに保持するだけではなく、また、それぞれ、縦置きまたは横置きのとき、ケースの縦方向にだけではなく、また、横方向にも延在する、ケース１０のための足場２を介して、ヒンジおよび若干隆起した支持部としても作用する。足場２を含む、基部３は、取っ手部分７と同一の材料から加工され、類似の色選択肢を含むであろう。
【００５６】
ケース１０内は、裏材８であって、いくつかの方法で作製され、種々の材料から構成されてもよい。ケース１０内に挿入されることになる特定の展示材料に応じて、裏材８は、ケース１０の異なる用途および意図された使用に適合されてもよい。裏材８の主要な役割は、運搬の間の展示材料の保護および支持である。裏材８は、運搬の間および展示材料が内側にある状態で開放されるとき、ケースの内側にあって見えないが、ケースが開放されるとき、展示材料に手入れが行き届いていることが明白であるように、魅力的な印象を提供するよう要求される。
【００５７】
図７、８、および１３を参照すると、蓋および基部内側表面の両方を被覆する、３層の材料から作製される、裏材８が存在する。裏材８は、上部から底部および側面から側面へと延設され、図１３におけるプラスチック製成形物１６、２０、１９、１７、ならびに１３および１８の若干下まで延びる。上部層は、高品質材料から成り、２つの他の層、すなわち、２〜３ｍｍ厚の発泡体と、次いで、発泡体の下面に接合される、底部層と接合され、サンドイッチ型の層を形成する。材料は、次いで、パターンおよびロゴでエンボス加工される。エンボス加工は、デザイン（小さい円形）を発泡体層から底部の第３の層へと圧痕させ、隆起および陥没表面の効果をもたらす。本タイプの表面は、見た目が良好であるだけではなく、緩衝効果も有し、容易に摺動しないように、内側の製品に若干の把持力をもたらす。多くの他のケースは、滑りやすい材料を有しており、製品を保護するために十分な厚さではなく、内側の滑動を防止しないと考える。
【００５８】
図１４〜２０に示されるＡ４モデルは、図９および１１に示されるＡ３およびＡ２モデルと同一の概念および形状を使用する。Ａ４モデルは、Ａ２およびＡ３モデルと同様に使用することができるが、概して、多くは、大型の展示のためにではなく、資料ホルダとしての業務使用のためのものとなるであろう。そのデザインは、アルミニウム部分２３の２つの等しい半体に分裂され、取っ手部分２２と、ヒンジ基部２４を伴う。ヒンジ基部２４上の脚部をオフセットすることによって、１８０度（図１９）開放され、テーブル上に平坦に置くことが可能になるであろう。閉鎖されると、また、図１８におけるように、立てることも可能であって、これは、他のＡ４タイプケースまたはフォルダに勝る、大きな利点である。また、Ａ２およびＡ３モデル同様に、基部ヒンジ２４および取っ手部分２２は、アルミニウム部分２３が、テーブル表面に接触しないように防止するであろう。取っ手部分２２における小型の扇形２５は、それを持ち上げるための小さい把持場所としての役割を果たすであろう。内側の裏材は、Ａ２およびＡ３モデルと同一となるであろう。プラスチック製内側成形物は、一体型に成形され、側面上の他方の半体と実矧ぎ継ぎ式効果において、ともに係止し、紙が、側面から逃散しないように防止する支援をし、また、側面をともに保持するであろう。ヒンジは、Ａ２およびＡ３モデルと同様に取り付けられ、プラスチックカバー部品で被覆され、取付孔を隠す。ユーザが、所望の角度まで一方の反対を開放することによって、小型の展示プラットフォームとして、Ａ４モデルを使用し得るように、ロールピンを使用することにより、ヒンジ内に少量の抵抗が存在するであろう。これは、展示設備を有していない、他のＡ４製品に勝る、有意な利点である。開放爪は、単純押しボタン２６（図１６参照）であって、ケースを分離および開放することを可能にするであろう。開放爪のための代替実施形態は、図３１に示される。図３１の実施形態では、成形されたプラスチック製爪Ａは、入れ物の２つの半体が閉鎖されると、爪Ａが、取っ手Ｄ内の空洞内に入り、バネワイヤＣからの張力によって、それを定位置に保持し、入れ物が開放しないように防止するように、取っ手部品Ｂ内に入れられ、バネ鋼鉄ワイヤＣによって、張力下に置かれる。入れ物を開放するために、ユーザは、単に、爪Ａの中心において、ボタンＥを押下する。
【００５９】
図２９および３０では、格納式ストラップが、示されており、これは、ブラケット内側のバネ荷重されたコイルによって、使用されていないとき、図１３に示される金属ブラケット１４内に後退するであろう。使用するためには、単に、一端を引き出し、他側まで延在させ、そこで、図１３の末端プラグ１５に位置する小型のボタン上に留める。
【００６０】
図２１から２８は、プラスチック製ヒンジおよび取っ手上でケースを捕捉する一方、ケースの残りの周囲に１０ｍｍの空隙を残す、種々の再生パルプ製品から作製され、保護用の外側パッケージングを形成する、パッケージングの単純形態を示す。パッケージングは、足場２９によって、立たせることが可能となり、図２１では、取っ手挿入部２８を使用して、通常のケースのように携行される、入れ物を補助するパッケージングを示す。ヒンジシステムは、底部に沿って、内側および外側に強力なテープを使用して生成される。本パッケージングは、ケースを運搬する一方、最大保護をもたらす、独特の方法を提供するであろうことが想起される。パッケージングは、再使用することができる。再生成形パルプの使用は、製品を保護するための印刷された厚紙のパッケージングおよび成形された発泡体形状の従来の方法に節約をもたらす。
【００６１】
本発明は、その具体的実施形態に関連して説明されたが、さらなる修正（複数可）が可能であることを理解されるであろう。本願は、本発明が関わる当技術分野における公知の実践または慣行に由来し、前述に記載の不可欠な特徴に適用され得るような、概して、本発明の原理に従い、本開示からの逸脱を含む、任意の変形例使用または適合を包含することが意図される。
【００６２】
本発明は、本発明の本質的特性の精神から逸脱することなく、いくつかの形態で具現化され得るため、前述の実施形態は、そうでないことが明示されない限り、本発明を限定するものではなく、むしろ、添付の請求項に定義されるように、本発明の精神および範囲内で広義に解釈されるべきであることを理解されたい。説明される実施形態は、あらゆる観点において、制限ではなく、例証にすぎないと見なされるべきである。
【００６３】
種々の修正および均等物配列が、本発明および添付の請求項の精神および範囲内に含まれることが意図される。したがって、具体的実施形態は、本発明の原理が実践され得る、多くの方法の例証であると理解されるべきである。以下の請求項では、ミーンズ・プラス・ファンクション・クローズ（ｍｅａｎｓ−ｐｌｕｓ−ｆｕｎｃｔｉｏｎ  ｃｌａｕｓｅ）は、記載された機能を実行すると本明細書に記述された構造および構造均等物だけでなく、等価構造物をも包含することが意図される。例えば、木製部品をともに固着するために、釘は円筒形表面を使用し、木製部品をともに固着するために、ネジは螺旋形表面を使用するという点において、釘とネジは構造均等物ではあり得ないが、木製部品を締結する環境では、釘とネジは、等価構造物である。
【００６４】
本明細書で使用されるとき、「Ｃｏｍｐｒｉｓｅｓ／ｃｏｍｐｒｉｓｉｎｇ（備える）」および「ｉｎｃｌｕｄｅｓ／ｉｎｃｌｕｄｉｎｇ（含む）」は、記載された特徴、整数、ステップ、または構成要素の存在を特定すると見なされるが、１つ以上の他の特徴、整数、ステップ、構成要素、またはその群の存在あるいは追加を除外するものではない。したがって、文脈によってそうでないことが明示されない限り、説明および請求項全体を通して、用語「ｃｏｍｐｒｉｓｅ」、「ｃｏｍｐｒｉｓｉｎｇ」、「ｉｎｃｌｕｄｅｓ」、「ｉｎｃｌｕｄｉｎｇ」、および同等物は、排他的または包括的意味ではなく、包括的意味で解釈されるものとする。すなわち、「ｉｎｃｌｕｄｉｎｇ，ｂｕｔ  ｎｏｔ  ｌｉｍｉｔｅｄ  ｔｏ（含むが、それに限定されない）」という意味となる。
【符号の説明】
【００６５】
２  ・・・足場
３  ・・・基部
４ａ  ・・・ヒンジ機構
６  ・・・本体
７  ・・・取っ手
８  ・・・裏材
１０  ・・・展示ケース
１０ａ  ・・・蓋部分
１０ｂ  ・・・反対部分
１１  ・・・表面
１２  ・・・湾曲部分
１４  ・・・ブラケット
１５  ・・・末端プラグ
２８  ・・・取っ手挿入部
２９  ・・・足場
【図１】
2014515279.tif 000003
【図２】
2014515279.tif 000004
【図３】
2014515279.tif 000005
【図４】
2014515279.tif 000006
【図５】
2014515279.tif 000007
【図６】
2014515279.tif 000008
【図７】
2014515279.tif 000009
【図８】
2014515279.tif 000010
【図９】
2014515279.tif 000011
【図１０】
2014515279.tif 000012
【図１１】
2014515279.tif 000013
【図１２】
2014515279.tif 000014
【図１４】
2014515279.tif 000015
【図１５】
2014515279.tif 000016
【図１６】
2014515279.tif 000017
【図１７】
2014515279.tif 000018
【図１８】
2014515279.tif 000019
【図１９】
2014515279.tif 000020
【図２０】
2014515279.tif 000021
【図２１】
2014515279.tif 000022
【図２２】
2014515279.tif 000023
【図２３】
2014515279.tif 000024
【図２４】
2014515279.tif 000025
【図２５】
2014515279.tif 000026
【図２６】
2014515279.tif 000027
【図２７】
2014515279.tif 000028
【図２８】
2014515279.tif 000029
【図２９】
2014515279.tif 000030
【図３０】
2014515279.tif 000031
【図３１】
2014515279.tif 000032
【図１３】
2014515279.tif 000033
【手続補正書】
【提出日】平成25年12月9日(2013.12.9)
【手続補正１】
【補正対象書類名】特許請求の範囲
【補正対象項目名】全文
【補正方法】変更
【補正の内容】
【特許請求の範囲】
【請求項１】
展示材料を運搬、保管、およびディスプレイするために適合される、展示ケースであって、
相互に係止係合状態にある、開放および閉鎖のために適合される、少なくとも２つの本体部分を備える、剛性本体と、
前記本体と異なる材料を備え、前記本体内に形成され、そこから延在する、取っ手部分と、
同様に、前記本体と異なる材料を備え、前記本体内に形成され、そこから延在する、基部と、
を備え、組み合わせて、前記取っ手部分および基部は、前記本体と表面との接触を伴わずに、前記ケースをある表面上に自立させるために適合される、展示ケース。
【請求項２】
前記ケース内側に位置する展示材料がディスプレイされるように、相互に対して、前記少なくとも２つの本体部分を開放するために適合される、前記基部に隣接するヒンジ機構をさらに備え、前記ヒンジは、開放位置において、前記本体部分を保定するために十分な剛性を有する、請求項１に記載の展示ケース。
【請求項３】
前記基部は、縦置き位置および／または横置き位置において、前記ケースを支持するために適合される足場を備える、請求項１または２に記載の展示ケース。
【請求項４】
前記ケースの湾曲端部分に跨嵌し、前記ケースの要素をともに保持するように適合される、支持押出成形部をさらに備える、請求項１から３のいずれか一項に記載の展示ケース。
【請求項５】
前記本体部分のうちの少なくとも一方は、前記ケースを取り外し可能に開放するための他方の前記本体部分上の開口に係合するスタッドを起動させる、前記ケースの取っ手部分を通して位置する、指によって作動されるラッチを含む、開放機構を備える、請求項１から４のいずれか一項に記載の展示ケース。
【請求項６】
前記開放機構は、前記支持押出成形部の一部を形成する、請求項５に記載の展示ケース。
【請求項７】
請求項１から６のいずれか一項に記載されるような展示ケースの使用を含む、展示材料をディスプレイする方法。
【請求項８】
前記展示材料は、
資料、
芸術品、
計画、
デザイン図面、
のうちの１つまたはそれらの組み合わせを含む、請求項７に記載される方法。
【国際調査報告】
2014515279.tif 000034
2014515279.tif 000035
2014515279.tif 000036
2014515279.tif 000037